【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
電力線搬送通信に利用自在な一対の電力線を有する屋内電力配線の終端に設けられる終端装置であって、
所定のインピーダンスを有する終端回路部と、
前記終端回路部と前記電力線との接続を切換える切換え部と、を備え、
前記終端回路部は、前記切換え部を介して前記一対の電力線間に接続される終端装置。
【請求項２】
請求項１記載の終端装置であって、
前記終端回路部は、抵抗素子である終端装置。
【請求項３】
請求項２記載の終端装置であって、
前記終端回路部は、可変抵抗素子である終端装置。
【請求項４】
請求項１記載の終端装置であって、
前記終端回路部は、抵抗素子と静電容量素子の直列回路である終端装置。
【請求項５】
請求項１ないし４のいずれか１項記載の終端装置であって、
前記終端回路部は、そのインピーダンスが変更可能なものである終端装置。
【請求項６】
請求項１記載の終端装置であって、
前記終端回路部は、並列に配置され、互いにインピーダンスが異なる複数の回路要素を選択的に使用するものである終端装置。
【請求項７】
請求項１ないし６のいずれか１項記載の終端装置であって、
前記終端回路部と前記切換え部は、前記屋内電力配線の電源コンセントの給電側導体に接続される終端装置。
【請求項８】
請求項１ないし６のいずれか１項記載の終端装置であって、
さらに、前記屋内電力配線の電源コンセントに挿入される電源プラグを備え、
前記終端回路部は、前記切換え部を介して前記電源プラグの２つの端子間に接続される終端装置。
【請求項９】
請求項８記載の終端装置であって、
さらに、少なくとも１つの電源ジャックを備え、
前記電源ジャックは、少なくとも前記終端回路部が前記電力線から切離されるときに前記電源プラグと接続される終端装置。
【請求項１０】
請求項１ないし６のいずれか１項記載の終端装置であって、
さらに、前記電力線に接続されるインピーダンス調整部を備え、
前記インピーダンス調整部は、前記電力線搬送通信の使用周波数帯域において高インピーダンスとなるものであり、前記終端回路部の接続箇所より前記電力線の給電側と反対側に接続される終端装置。
【請求項１１】
請求項１０記載の終端装置であって、
さらに、前記インピーダンス調整部を短絡させる短絡スイッチを備え、
前記短絡スイッチは、前記切換え部と連動して動作し、前記終端回路部が前記電力線から切離されるときに、前記インピーダンス調整部を短絡させる終端装置。
【請求項１２】
請求項１０記載の終端装置であって、
さらに、前記インピーダンス調整部を介して、前記電力線に接続される第１の電源供給端子と、
少なくとも前記終端回路部が前記電力線から切離されるときには、前記電力線に接続される第２の電源供給端子と、を備える終端装置。
【請求項１３】
請求項１０ないし１２のいずれか１項記載の終端装置であって、
前記終端回路部、前記切換え部、及び前記インピーダンス調整部は、前記屋内電力配線の電源コンセントの給電側導体に接続される終端装置。
【請求項１４】
請求項１２記載の終端装置であって、
前記終端回路部、前記切換え部、及び前記インピーダンス調整部は、前記屋内電力配線の電源コンセントの給電側導体に接続され、
前記第１の電源供給端子は、前記電源コンセントの１の電源ジャックであり、
前記第２の電源供給端子は、前記電源コンセントの他の電源ジャックである終端装置。
【請求項１５】
請求項１０ないし１２のいずれか１項記載の終端装置であって、
さらに、前記屋内電力配線の電源コンセントに挿入される電源プラグと、
前記インピーダンス調整部を介して前記電源プラグと接続される電源ジャックと、を備え、
前記終端回路部は、前記切換え部を介して前記電源プラグの２つの端子間に接続される終端装置。
【請求項１６】
請求項１２記載の終端装置であって、
さらに、前記屋内電力配線の電源コンセントに挿入される電源プラグと、
前記第１の電源供給端子である第１の電源ジャックと、
前記第２の電源供給端子である第２の電源ジャックと、を備え、
前記終端回路部は、前記切換え部を介して前記電源プラグの２つの端子間に接続され、
前記第１の電源ジャックは、前記インピーダンス調整部を介して前記電源プラグと接続される終端装置。
【請求項１７】
請求項１６記載の終端装置であって、
前記電源プラグ、前記終端回路部、前記切換え部、及び前記第２の電源ジャックは、第１の筐体に収容され、
前記インピーダンス調整部、及び前記第１の電源ジャックは、第２の筐体に収容され、
前記電源プラグと前記インピーダンス調整部を接続する電源コードを備える終端装置。
【請求項１８】
請求項１６記載の終端装置であって、
前記終端回路部、前記切換え部、前記インピーダンス調整部、前記第１の電源ジャック、及び前記第２の電源ジャックは、１の筐体に収容され、
前記電源プラグと前記インピーダンス調整部を接続する電源コードを備える終端装置。
【請求項１９】
請求項８記載の終端装置であって、
さらに、少なくとも前記終端回路部が前記電力線から切離されるときには、前記電力線に接続される電源供給端子を備え、
前記電源供給端子は、電力線搬送通信を行う通信装置の電源コードと接続される終端装置。
【請求項２０】
請求項１２記載の終端装置であって、
さらに、前記屋内電力配線の電源コンセントに挿入される電源プラグと、
前記第１の電源供給端子である電源ジャックと、を備え、
前記終端回路部は、前記切換え部を介して前記電源プラグの２つの端子間に接続され、
前記電源ジャックは、前記インピーダンス調整部を介して前記電源プラグと接続され、
前記第２の電源供給端子は、電力線搬送通信を行う通信装置の電源コードと接続される終端装置。
【請求項２１】
請求項１１記載の終端装置であって、
さらに、前記屋内電力配線の電源コンセントに挿入される電源プラグと、
前記インピーダンス調整部を介して、前記電源プラグに接続される電源ジャックと、を備え、
前記電源プラグ、前記終端回路部、及び前記切換え部は、第１の筐体に収容され、
前記インピーダンス調整部、前記短絡スイッチ、及び前記電源ジャックは、第２の筐体に収容され、
前記電源プラグと前記インピーダンス調整部を接続する電源コードを備える終端装置。
【請求項２２】
請求項１９又は２０記載の終端装置であって、
前記切換え部は、前記通信装置の電源オン時に前記終端回路部を前記電力線から切離す終端装置。
【請求項２３】
請求項１ないし１６のいずれか１項記載の終端装置であって、
前記切換え部は、前記終端に電力線搬送通信を行う通信装置の通信信号線が接続された場合、前記終端回路部を前記電力線から切離す終端装置。
【請求項２４】
請求項２３記載の終端装置であって、
前記切換え部は、前記通信装置の電源プラグが前記電力線に接続されたときに移動する可動部材と、前記可動部材の移動に伴って、前記終端回路部を前記電力線から切離すスイッチ部材を含む終端装置。
【請求項２５】
請求項２３記載の終端装置であって、
前記切換え部は、前記通信装置の電源プラグが前記電力線に接続されたときに動作する光電スイッチ部材と、前記光電スイッチ部材の動作に伴って、前記終端回路部を前記電力線から切離すスイッチ部材と、を含む終端装置。
【請求項２６】
電力線搬送通信で使用される電力線を終端する終端装置であって、
前記電力線が接続され電力線搬送通信信号を入力する一対の第1端子と、
前記電力線搬送通信信号を他の電力線に出力する一対の第２端子と
予め決められたインピーダンスを備えた終端回路部と、
前記終端回路部を介して前記一対の第１端子の一方と前記第１端子の他方とを接続するか、前記一対の第１端子それぞれを対応する前記一対の第２端子に接続するか、を切換える切換え部と、
を備えた終端装置。